(57)【特許請求の範囲】
【請求項１】
壁躯体の開口部に嵌め込まれた窓枠と、この窓枠の内側に配置されて框材が金属のみからなる障子とを備え、窓枠の屋内側は、閉鎖時の障子の框の屋内側見付面を覆い、かつ上記障子の室内側の縁部が内観視において露出しないように形成してなるとともに、上記窓枠の屋内側部位は合成樹脂製で、その屋内側には室内壁が配置されていることを特徴とするサッシ。
【発明の詳細な説明】
【技術分野】
【０００１】
本発明は、障子の框材が金属のみから構成されていても全体として十分な断熱性が得られるようにしたサッシに関する。
【背景技術】
【０００２】
従来のサッシとして、窓枠の枠材と障子の框材は、それぞれ屋外側に面する基本的部分を金属によって構成するとともに、屋外側に面する部分を合成樹脂部材で被覆した複合構造のものが知られている。このようなサッシは窓枠の枠材や障子の框材がそれぞれ独立に断熱性を有するので、断熱効果には優れているものの、サッシを構成する部材の数が多くなり、コスト的に高いものになっていた。
【０００３】
また、サッシの各構成部材が独立に断熱性を有しているほか、障子を開閉のための把手が縦框に設けられていたという理由もあって、窓枠の内側に障子の框が位置するように、窓枠よりも１回り分障子の方が小さくなるような構成にするのが普通であった。このため、特許文献１の図１に示すように、室内壁の開口部よりも窓枠の開口部が小さく、さらに窓枠の開口部よりも障子の開口部（ガラス面の大きさ）が小さくなるように配置して枠材と框材の樹脂部分が屋内側からよく見えるようになっている。
【特許文献１】特開平１１−１０７６４８号公報
【発明の開示】
【発明が解決しようとする課題】
【０００４】
しかしながら、その反面、全体としては樹脂部分の使用量が多くなるから、コストが嵩むほか、室内壁の開口部よりも枠の開口部が小さく、さらに窓枠の開口部よりも障子の開口部が小さくなるので、屋外側になるほど採光面が小さくなるという問題があった。
【０００５】
本発明は前記問題点を解消し、障子の金属製框材自体に断熱部材を結合させなくても断熱性および意匠性に優れるとともに、コストも低減することができるサッシを提供することをその課題とする。
【課題を解決するための手段】
【０００６】  前記課題を解決するため、請求項１に係るサッシは、壁躯体の開口部に嵌め込まれた窓枠と、この窓枠の内側に配置されて框材が金属のみからなる障子とを備え、窓枠の屋内側は、閉鎖時の障子の框の屋内側見付面を覆い、かつ上記障子の室内側の縁部が内観視において露出しないように形成してなるとともに、上記窓枠の屋内側部位は合成樹脂製で、その屋内側には室内壁が配置されていることを特徴とする。
【発明の効果】
【０００７】
請求項１に係る発明によれば、窓枠の屋内側は、閉鎖時の障子の框の屋内側見付面を覆い、かつ上記障子の室内側の縁部が内観視において露出しないように形成してなるとともに、当該部位は合成樹脂製で、その屋内側には室内壁が配置されているから、窓枠の屋内側と室内壁とにより２重の断熱構造が構成され、金属製障子の框材からの熱は窓枠と室内壁とによって断熱される。したがって、非常に高い断熱性を確保することができる。
【０００８】
また、障子の框材は金属だけでよいことになるから、コストダウンが可能となる。
【０００９】
さらに、内観視において前記障子の室内側の縁部は前記窓枠の室内側の縁部よりも露出しないように配置されているから、屋内側からは窓枠のみが見えることになるので、障子の框が金属であっても、内観視において見えにくいから、すっきりした見栄えのよいサッシとなる。
【発明を実施するための最良の形態】
【００１０】
本発明の実施形態を図１のサッシについて説明する。上記サッシは壁躯体１の開口部ａに嵌め込まれた窓枠２と、この窓枠２の屋外側に水平方向に突出して開閉可能に配置された障子３とから構成された平行窓で、リンク機構によって障子が屋外側に平行に開き移動するようになっている。
【００１１】
壁躯体１は建物の躯体構造材４の屋外側に配置された屋外壁１ａと室内側に配置された室内壁１ｂとからなり、屋外壁はＡＬＣ（軽量発泡コンクリート）材によって、また、室内壁１ｂは屋外壁の屋内側に張設された断熱材５とその屋内側に張設された内装材６と壁躯体１に形成された開口部に臨む額縁７とによって構成されている。
【００１２】
なお、通常の住宅の壁躯体１も外壁材と内壁材とによって構成されているが、ここで室内壁とは室内に面するものに限定されない。通常の木製の額縁や窓台あるいは断熱材のように、開口部又はその近傍に配置されていて、窓枠の屋内側に配置されていればよく、それ自体に、室内に面する内装材とともに断熱性を有するものであればよい。
【００１３】
障子３は、金属製の框材、つまり上框８と下框９と左右の縦框１０とを框組みすることによって構成されている。框の内側にはペアガラス１１が嵌め込まれている。
【００１４】
窓枠２の屋外側には金属製の金属枠２ａが、屋内側には合成樹脂製の樹脂枠（樹脂枠部）２ｂが配置され、金属枠２ａと樹脂枠２ｂとはいったいに結合されている。金属枠２ａは枠材（金属上枠１２、下枠１３および金属縦枠１４）を方形に枠組みしたものであり、上記金属枠２ａは壁開口部を構成する躯体構造材４へ取付けることにより、その内周面と屋内側面は屋内側に露出している。
【００１５】
金属枠２ａの屋内側には内周面に沿って連続する凹部１５が形成され、凹部１５には係止部１６が形成されている。これに対し、樹脂枠２ｂは合成樹脂製樹脂枠材（樹脂上枠１７、下枠１８と樹脂縦枠１９）を方形に枠組みしたもので、各樹脂枠材には中空部２０が形成され、断熱性を有効に確保している。そして、各樹脂枠材の外方部分は窓枠２の凹部１５に嵌合されているとともに、上記外方部分には、上記金属枠２ａの凹部１５の係止部１６に係止する係止片２１が形成されている。
【００１６】
そして、窓枠２の屋内側、つまり樹脂枠２ｂの屋外側は、閉鎖時の障子の框の屋内側見付面を覆い、障子３の閉鎖時には障子３の框材８、９、１０の屋内側見付面を覆うように配置されている。また、障子３の開口部（ペアガラス１１の面）と樹脂枠２ｂの内周に形成された開口部とはほぼ屋内外方向に略面一になるように配置されている。
【００１７】
なお、樹脂下枠１８は外方の下部下枠１８ａと上部下枠１８ｂとからなり、上部下枠１８ｂの係止突部２２を下部下枠１８ａの係止凹部２３に係止させることにより、一体に結合するように形成されている。したがって、上部下枠１８ｂはオペレータ本体２４を取り付けた後に下部下枠１８ａに対して後付けすることができる。
【００１８】
次に、樹脂枠２ｂの屋内側には取付縁２５が突出形成され、室内壁１ｂの一部で躯体開口部ａを規定する木製額縁７に固定されている。額縁７の外周には断熱材５と内装材６とが張設され、断熱材５と内装材６との間の空間には、桟２６が配置されている。断熱材５としては、ボード状のグラスウールやロックウールあるいはフェノールフォームなどを利用すればよい。このように、断熱材５はもちろんのこと、室内壁１ｂを構成する内装材６も額縁７も、木材など、断熱性の高い材料を選択するのが好ましい。
【００１９】
また、上記樹脂枠２ｂ（樹脂下枠１８の下部下枠１８ａ）の内周に形成された開口部と額縁７によって形成された開口部とは躯体開口部ａとほぼ屋内外方向に略面一になるように配置されている。
【００２０】
次に、上記障子３と窓枠２とは公知のリンク機構（図示せず）を介して連結され、屋内側から下枠に配置されたハンドル２７を回転操作することによりリンク機構を作動させることにより、障子３を図２の点線で示すように屋外側に平行に移動して開き又は閉じ作動するようになっている。
【００２１】
上記構成によれば、窓枠２の屋内側は、閉鎖時の障子３の框の屋内側見付面を覆い、かつ上記障子３の室内側の縁部が内観視において露出しないように形成してなるとともに、当該部位である樹脂枠２ｂは合成樹脂製で、その屋内側には室内壁１ｂが配置されているから、窓枠２の屋内側（樹脂枠２ｂ）と室内壁１ｂとにより２重の断熱構造が構成され、たとえ障子３の框材を金属製の框材のみで構成したとしても、障子框材からの熱は樹脂枠２ｂと室内壁１ｂとによって断熱される。
【００２２】
実験例によれば、前記特許文献１と同じ構成のサッシと図１、図２に示したサッシについて、それぞれ上枠部、下枠部および縦枠部の屋内外の通過熱量を比較すると、後者の数値の方が２２〜３５％ほど小さく、従来よりもむしろ断熱性能に優れていることが確認された。
【００２３】
また、１点鎖線で示されるように障子３に形成された開口部（ガラス１１の面）と窓枠２の開口部と室内壁１ｂの開口部とを躯体開口部ａと略同じ大きさにすることができるから、サッシの採光面を大きくすることができるとともに、屋内側からは樹脂枠２ｂのみが見えることになるので、障子３の框材が金属であっても、ガラス１１の面の周囲の部分があたかも単一の合成樹脂材で構成されているように見え、すっきりした見栄えのよいサッシとなる。
【００２４】
さらに、障子３の框材は金属だけでよいことになるから、コストダウンも可能となる。
【００２５】
なお、上記サッシは、平行窓だけでなく、横辷り出し窓や、縦滑り窓、ＦＩＸ窓等の窓にも適用することができる。
【図面の簡単な説明】
【００２６】
【図１】本発明に係るサッシの従断面図である。
【図２】上記サッシの横断面図である。
【符号の説明】
【００２７】
ａ  躯体開口部
１ｂ  室内壁
２    窓枠
２ａ  金属枠
２ｂ  樹脂枠
３    障子
【図１】
0004738393.tif 000002
【図２】
0004738393.tif 000003